(57)【要約】【課題】  前面板両面の外部光反射による表示画像の品質低下を防ぐと共に、正面からの衝撃に対してパネルの破損防止構造を提供し、更にパネルの画像中心とベゼル開口部中心の位置ずれを防ぐ構造を提供する。【解決手段】  表示パネル１を支持するシャーシ２の質量を下げ、搭載する回路基板類９、１０を別シャーシ４に移動してパネルユニット２０を軽量化した。更に異物の衝突時に該パネルユニット２０が後方へ移動して衝撃エネルギーを吸収する構造を設けた。該パネルユニット２０は別シャーシ４に備えるガイド５で位置決めする構造とした。【選択図】  図１
2009134137.tif 000002
【特許請求の範囲】
【請求項１】
画像表示パネルと、該画像表示パネルの背面に配置されるパネル固定部材、該パネル固定部材に搭載される電気実装部材とにより構成される表示パネルユニットと、前記パネル固定部材と距離をおいて後方に配置された表示パネルユニット支持部材には電気実装部材が搭載されている筐体構造を備え、
該表示パネルユニットと該表示パネルユニット支持部材との相対位置が可変可能なことを特徴とする薄型画像表示装置。
【請求項２】
前記表示パネルユニットと表示パネルユニット支持部材との相対位置は、画像表示面から見て天地左右を嵌合手段により規制し、手前と奥方向は該表示パネルユニットと該表示パネルユニット支持部材との距離を開ける方向に力を働かせる手段と可動範囲制限手段を組み合わせて規制していることを特徴とする請求項１に記載の薄型画像表示装置。
【請求項３】
前記表示パネルユニットと表示パネルユニット支持部材との距離を開ける方向に力を働かせる手段は、金属製の弾性構造体、空気を利用した弾性構造体、ゴムや樹脂の特性を利用した弾性構造体のいずれかであることを特徴とする請求項２に記載の薄型画像表示装置。
【請求項４】
前記表示パネルユニットと表示パネルユニット支持部材との画像表示面から見て天地左右を位置決めする嵌合手段は、軸と貫通穴の組み合わせであることを特徴とする請求項２に記載の薄型画像表示装置。
【発明の詳細な説明】
【技術分野】
【０００１】
テレビ、コンピュータの端末、広告媒体、標識などの用途に、電子放出素子を用いた表示装置、プラズマ放電を用いた表示装置、液晶を用いた表示装置、蛍光表示管を用いた表示装置などの薄型平面型画像表示装置が用いられている。更に近年注目されているのが、画面サイズ４０型以上の壁掛けテレビであり、それは薄型の画像表示装置の特徴を生かすものである。これらの薄型画像表示装置の基本構造は画像表示部、電気回路部、それらを支持する構造部、更に外装部から成っている。
【背景技術】
【０００２】
従来の薄型平面型画像表示装置のより詳細な構造について以下に述べる。
【０００３】
図１０は、従来例１として説明する、電子放出素子を用いた代表的な薄型平面型画像表示装置の縦断面図である。
【０００４】
同図において、１０１は２枚の向い合うガラス基板と周辺を枠部材（図示せず）で真空容器を構成した画像表示パネルであり、背面側のガラス基板にはＸ方向とＹ方向の配線と該配線の交点付近に電子放出素子が形成されている。一方の前面側のガラス基板には前記電子放出素子に対向する位置にＲＧＢの蛍光膜とガラス基板全面を覆う導電性膜が形成されている。１０２は前記画像表示パネル１０１を支持するための接着層であり、背面側のガラス基板上の特定範囲に塗布された厚さ１〜２ｍｍの樹脂からなる層である。１０３は前記画像表示パネル１０１や後述の電気回路類を支持するために十分な剛性を有するシャーシであり、プレス加工した鋼板に補強用の梁材やリブ材（図示せず）をカシメ結合して製作した。前面側には前記接着層１０２を介して画像表示パネル１０１を支持し、背面側には雌ねじを有する多数のボスを備えている。１０４は前記画像表示パネル１０１のガラス基板上のＹ方向配線端部と、後述の信号発生源とを電気的に接続するためのＦＰＣ（Flexible Printed Circuit）であり、狭ピッチの配線パターンが印刷された上に絶縁被覆で構成されている。１０５は選択信号で前記画像表示パネル１０１を駆動する（信号発生源）ためのドライブ回路であり、上下に分割して配置されて各々がＦＰＣ１０４と接続されて信号を出力している。また、前記シャーシ１０３に形成されたボスに密着してねじ（図示せず）で固定されている。１０６はこの薄型平面型画像表示装置の電気回路全体の制御をつかさどるところの制御回路であり、前記シャーシ１０３に形成されたボスに密着してねじ（図示せず）で固定されている。１０７はこの薄型平面型画像表示装置の電気回路全体へ電気を供給するための電源回路であり、他の電気回路同様に、前記シャーシ１０３に形成されたボスに密着してねじ（図示せず）で固定されている。１０８は前記ドライブ回路１０５と制御回路１０６を接続するケーブルであり、両端は着脱自在のコネクターにより電気的機械的に接続されている。１０９は画像表示パネル１０１の前方で向かい合う位置に配置された前面板であり、ガラス板の両面に反射を押さえる処理と透過率を制御する処理が施されている。１１０は前記前面板を締結する構造を内部に有し、外部は外観性を意識した表面状態を形成してなる樹脂製のベゼルであり、先の前面板１０９と一体となって前記画像表示パネル１０１の前面側から側面にかけて、塵埃の進入や異物の衝突から保護する役目を果たしている。１１１は前記電気回路類の後方で前記シャーシ１０３に向かい合うように配置した板金製のリアカバーであり、周辺部を前記ベゼル１１０とねじ（図示せず）で締結し、内部構造体の後方側からの塵埃の進入や異物の衝突から保護する役目を果たしている。１１２は以上説明した画像表示パネルを含む筐体全体を支持するためのスタンド支柱であり、上部を前記シャーシ１０３とネジ（図示せず）により固定している。該スタンド支柱１１２は本薄型平面型画像表示装置が転倒しないように、正面より見た場合重心に対して左右均等に２個配置されている。１１３は前記スタンド支柱１１２の下端に溶接によって締結された剛性を有するスタンドベースであり、本薄型平面型画像表示装置の転倒を防ぐため、前後に張り出した形状となっている。
【０００５】
以上説明した構成において、本薄型平面型画像表示装置の内部構造である画像表示パネル１０１は、前方からの異物の衝突に対して前面板１０９により保護されている。しかしながら、画質的には外光が反射する面が前面板１０９の両面に存在するため、反射を抑える処理はあるものの画像表示パネル１０１で表示される画像品質の低下が発生する。
【０００６】
また、別の従来例２として図１１を用いて説明を加える。
【０００７】
１２０は２枚のガラスを貼り合せた構造でプラズマ放電により画像を表示するパネル、１２１は前記パネル１２０の前方に貼り合せた保護フィルタであり、表面側より低反射層、衝撃吸収層、色調整層及び赤外線吸収層と４層構造となっている。１２２はパネル１２０の背後に配置した緩衝部であり弾性率１ｘ１０３〜１ｘ１０６[Ｐａ]の樹脂材からなり、１２３は前記緩衝部１２２の背後に配置した金属製のシャーシである。１２４は前記シャーシ１２３の背後に搭載した駆動制御回路であり、１２５は前記シャーシ１２３を支持するモジュール取り付け部である。１２６は以上の内部構造を保護し、前記モジュール取り付け部１２５と締結しているカバーである。
【０００８】
以上説明した構成において、保護フィルター１２１とパネル１２０の間に空気層が介在しないため従来例１のような画像品質の低下が起きない。更にパネル１２０の表示面側に物体が衝突すると緩衝部１２２が衝撃力のエネルギを吸収しながら後方へ変形して、パネル１２０の破損を防ぐことが可能である。
【０００９】
上記の例として、下記特許文献１をあげることが出来る。
【特許文献１】特開２００３−１９５７７３号公報
【発明の開示】
【発明が解決しようとする課題】
【００１０】
以上説明したように、従来例１においては正面からの衝撃に対して前面板によりパネルの破損は防止できるが、前面板両面の外部光反射による表示画像の品質低下という課題を抱えている。一方従来例２においては、外部光反射による表示画像の品質低下は発生し難い構成である代わりに、正面からの衝撃に対してパネルの破損防止対策が十分でない、という課題を抱えていた。つまり緩衝部がパネルの位置決め機能を兼ねているため、衝撃力の吸収効果を高めるために緩衝部の弾性率を下げると、カバーに対するパネルの位置がずれてしまう。逆にカバーに対するパネル位置を保持しようと緩衝部の弾性率を上げると衝撃力の吸収効果が薄れてしまうために結果として、緩衝部の弾性率の上限と下限の幅に制約が生じてしまう。
【００１１】
そこで、本発明は前面板を廃止して表示画像の品質低下を防止すると共に、正面からの衝撃に対してそのエネルギー吸収構造によりパネルの破損を防止し、更にパネルのガイド構造を有してパネルとカバーの位置ずれを防ぐ構成を提供することを目的としている。
【課題を解決するための手段】
【００１２】
上記課題を解決するため、本発明の薄型画像表示装置は、
画像表示パネルを支持するシャーシにはドライブ回路のみ搭載して画像表示パネルと共に表示パネルユニットを構成し、残りの電気回路である制御回路や電源回路などを表示パネルユニット支持部材に搭載した。表示パネルユニットと表示パネルユニット支持部材は向い合わせとなる位置に置き、更に前記表示パネルユニットは前方からの衝突時に表示パネルユニット支持部材方向へ移動可能なガイドを設けた。具体的には表示パネルユニット支持部材の４角部に前方へ向かう軸を構成し、表示パネルユニットのシャーシには前記軸と摺動可能に嵌合する貫通部を設けた。更に表示パネルユニットと表示パネルユニット支持部材の空隙に衝突エネルギーを吸収する構造を設けた。具体的にはコイルばねと空気ばねを併用した構造である。
【００１３】
尚、通常の使用時は前記ガイド先端部の移動範囲制限部とコイルばねと空気ばねの押し力により表示パネルユニットは前方端に保持される。
【発明の効果】
【００１４】
本発明によれば、
１．画像を表示する画像表示パネルを筐体内に有する画像表示装置において、画像表示パネルに前方から荷重が掛かった場合、画像表示パネルと可動シャーシで構成した表示パネルユニットは後方へ移動しながら荷重のエネルギーを吸収するため、画像表示パネルの破損の可能性が低減できる。
【００１５】
２．可動シャーシの軽量化と、主要な電気回路を固定シャーシへ分散配置したために表示パネルユニットの軽量化が実現し、荷重を受けた場合に画像表示パネルの破損の可能性が低減できる。
【００１６】
３．荷重のエネルギー吸収構造とは別に表示パネルユニットをガイドで位置決めする構造にしたため、画面中心とベゼルの前面開口部中心の位置ずれの経時変化は発生しない。
【００１７】
４．荷重のエネルギー吸収構造とは別に表示パネルユニットをガイドで位置決めする構造にしたため、画像表示装置を下方に傾けて取り付けた場合も画面中心とベゼルの前面開口部中心の位置ずれが発生しない。
【発明を実施するための最良の形態】
【００１８】
次に、本発明の詳細を実施例の記述に従って説明する。
【実施例１】
【００１９】
図１は本発明の第１の実施形態の特徴を最もよく表わす画像表示装置の縦断面図である。本図に示す形態の画像表示装置は、画像を表示する画像表示パネル（ディスプレイパネル）として、内部が真空で維持された表示パネル１を備える。表示パネル１は、ガラス基板上にRGBの蛍光体膜と前述のメタルバック膜の高電圧領域を有するフェースプレート、ガラス基板上にＸ方向配線とＹ方向配線および電子放出素子が形成されたリアプレート、および枠部材により構成されている。
表示パネル１の背面は可動シャーシ２に接着剤（図示せず）を介して固定されており、該可動シャーシ２はアルミニウム合金の厚さ２ｍｍ以下の薄板をプレス加工により所望の形状に形成している。
【００２０】
可動シャーシ２の背面の中央付近には全面をゴムで覆った弾性を有する容器の弾性部３が密着配置されている。該弾性部３の背面側は接着剤（図示せず）により固定シャーシ４に固定されており、該固定シャーシ４はアルミニウム合金の厚さ３ｍｍ以下の薄板をプレス加工により所望の形状に形成したものであり、更に図は省略するが補強のための梁やリブを備えているし、また複数の雌ねじ（図示せず）を加工したボスが形成されている。該固定シャーシ４の４箇所の角部にはカシメにより締結してなる前方へ向かったガイド５が伸びており、鋼棒を旋盤加工により円筒形に仕上げて表面には潤滑処理が施されている。該ガイド５の前方先端部分には雌ねじ（図示せず）が加工されていて、該雌ねじを利用して雄ねじ付きの金属製のストッパー６が締結されている。前記表示パネル１の背面側ガラス基板の上下端子部にはＦＰＣ７が導電性接着材により電気的機械的に接続されていて、該ＦＰＣ７のもう一端部は可動シャーシ２を迂回して後方へ延びている。該ＦＰＣ７の延びた端部はドライブ回路８に実装されているコネクター（図示せず）に着脱可能に接続されている。該ドライブ回路８は表示パネル１へ選択信号を出力する回路である。固定シャーシ４の複数のボスを利用して制御回路９と電源回路１０がねじ（図示せず）により固定されている。該制御回路９は本画像表示装置の電気回路全体の制御をつかさどる機能を有していて、前記ドライブ回路８とはケーブル１１を利用して接続される。また電源回路１０は同じく本画像表示装置の電気回路全体へ電気を供給する機能を有していて、前記ドライブ回路８へケーブル１２を利用して電気を供給している。尚、上記ケーブル１１とケーブル１２は両端部がすべて着脱可能なコネクター（図示せず）接続となっている。表示パネル１の前方から側面にかけて、全周にわたって囲むようにベゼル１３が配置されている。該ベゼル１３は表示パネル１を始めとする内臓物の保護の機能と、露出部分は外観性を保つための表面状態と色合いを樹脂の射出成形により実現している。該ベゼル１３の後方端部には全周にわたって複数の雌ねじ（図示せず）が加工されていて、それを利用して金属製のリアカバー１４が雄ねじ（図示せず）により固定されている。該リアカバー１４は厚み０．５ｍｍの鋼板を絞り加工で製作しており、先の制御回路９や電源回路１０を始めとする電気部品類を後方から保護する機能、および内部で発生する熱を効率よく換気するための複数の小穴（図示せず）を底部付近と天部付近に密集配置している。固定シャーシ４の下方にはＭ６サイズの大きな雌ねじ（図示せず）が複数加工されていて、それを利用して支柱１５が雄ねじ（図示せず）により締結されている。該支柱１５は金属製の角材を二次加工して製作しており、本断面図では１本であるが、正面から見ると表示パネル１の画面中心を通る垂線を対称軸にして２本を有している。該支柱１５の下端部にはスタンドベース１６が溶接により締結されている。該スタンドベース１６は厚み３ｍｍの鋼板をプレス加工によりリブ形状も形成して強度を高めている。尚、本図では省略したが、支柱１５とスタンドベース１６には外観性を有するカバーで覆われる構造である。前記固定シャーシ４の背面側にはカシメにより４本の壁掛けボス１７が配置されており、背面側先端には雌ねじ（図示せず）が加工されていて、該雌ねじに対向する位置にはリアカバー１４の貫通穴（図示せず）が形成されている。矢印で示す１８は表示パネル１の画面中心、同じく１９はベゼル１３の開口部中心位置を表している。２０は表示パネル１と可動シャーシ２を接着剤により一体化した表示パネルユニットを示している。
【００２１】
以上の構成において、本発明の特徴である衝撃吸収の仕組みについて詳述を加える。
【００２２】
図２は本発明の画像表示装置が前方から荷重を受けた場合の動作を示す縦断面図である。図３は弾性部３の内部構造を示す縦断面図、また図４は該弾性部３が衝撃を吸収する動作を示す縦断面図である。尚、図１と同一部品には同一番号を付与して重複する説明は省略する。
【００２３】
表示パネル１に荷重を受けると、固定シャーシ４に比較して質量の小さい表示パネルユニット２０は、後方へ押し出される。可動シャーシ２は弾性部３を後方へ押す力が働くが、この時弾性部３内部のコイルばね３−cは圧縮動作を開始する。同時に該弾性部３の容器を構成するゴム製の密閉シート３−a内部に閉じ込められている空気層３−bは前後方向への圧縮力２０が働いて前記密閉シート３−aが薄く変形すると共に、該空気層３−bは密閉シート３−aの側面部全周にわたって押し広げる力２１に作用する。
【００２４】
以上説明した動作、つまりコイルばね３−cの圧縮と空気層３−bが密閉シート３−aを変形させる動作の二つにより表示パネル１が受けた荷重のエネルギーが吸収される。尚、弾性部３は接着部３−dにより固定シャーシ４に接着支持されている。
【００２５】
更にこの動作においては固定シャーシ４の４箇所の角部に配置されているガイド５に嵌合する穴を有する可動シャーシ２は、表示パネル１の画面中心１８とベゼル１３の前面開口部中心１９との相対位置を変化させずに後方へ移動する。この時固定シャーシ４を貫通するケーブル１１とケーブル１２は柔軟性を持って変形して電気的接続を維持する。
【００２６】
この後表示パネル１に掛かる荷重が弱まると、上述した動作がすべて逆転する。すなわち弾性部３には押し広げる力２１の向きが反転して密閉シート３−aの側面部が収縮し、空気層３−bが密閉シート３−aを圧縮力２０と反対方向に押し出す。と同時に、コイルばね３−cは圧縮動作が反転して伸張動作に変わって可動シャーシ２を前方へ戻す力を働かせる。以上の動作によりガイド５に嵌合する穴を有する可動シャーシ２は、表示パネル１の画面中心１８とベゼル１３の前面開口部中心１９との相対位置を変化させずに前方へ移動する。
【００２７】
可動シャーシ２はガイド５の先端に位置するストッパー６に当接したところで移動が停止する（通常の使用状態に復帰）。
【００２８】
尚、可動シャーシ２は常に剛体であるガイド５により位置決めされているため長期間に渡り、表示パネル１の画面中心１８とベゼル１３の前面開口部中心１９との相対位置の変化が発生しない。また本画像表示装置を視聴する際に水平状態から下向きに角度を変化させても、表示パネル１の画面中心１８とベゼル１３の前面開口部中心１９との相対位置の変化が発生しない。
【００２９】
以上説明したように本発明によれば、以下に述べる効果が得られる。
【００３０】
１．画像を表示する表示パネルを筐体内に有する画像表示装置において、表示パネルに前方から荷重が掛かった場合、表示パネルユニットは後方へ移動しながら荷重のエネルギーを吸収するため、表示パネルの破損の可能性が低減できる
２．上記エネルギーの吸収はコイルばね及び密閉シートにより閉じ込めた空気層の特性を組み合わせたことにより信頼性の高い構造を実現している。
【００３１】
３．可動シャーシをアルミニウム合金の厚さ２ｍｍ以下の薄板で構成し、更に主要な電気回路を固定シャーシへ分散配置したために表示パネルユニットの軽量化が実現し、荷重を受けた場合に表示パネルの破損の可能性が低減できる
４．可動シャーシを固定シャーシ側から延びるガイドで位置決めした構造であるため、画面中心とベゼルの前面開口部中心の位置ずれが長期にわたり発生しない。
【００３２】
５．可動シャーシを固定シャーシ側から延びるガイドで位置決めした構造であるため、画像表示装置を下方に傾けて取り付けた場合も画面中心とベゼルの前面開口部中心の位置ずれが発生しない。
【００３３】
尚、本実施例では画像表示部に電子放出素子方式のパネルを用いたが、液晶やプラズマ放電を利用したパネル、有機ＥＬを利用したパネルなど薄型の表示装置を用いた場合に同様の効果が得られる。
【００３４】
また、弾性部の構成は移動する表示パネルと可動シャーシの質量や想定される荷重を考慮した弾性率であれば、板バネや柔軟性のあるゴム材などを組み合わせることも可能である。
【実施例２】
【００３５】
図５は本発明の第２の実施形態の特徴を最もよく表わす画像表示装置の縦断面図である。実施例１と同様な部品や機能は同じ番号を付与して説明を省略する。
【００３６】
固定シャーシ４の４箇所に配置されたガイド５にはコイルばね３０が挿入されており、常に固定シャーシ４と可動シャーシ２に対して両者の距離を広げる力を働かせている。可動シャーシ２の背面の中央付近には全面をゴムで覆った弾性を有する容器の弾性部３１が密着配置されている。
【００３７】
以上の構成において、本発明の特徴である衝撃吸収の仕組みについて詳述を加える。
【００３８】
図６は本発明の画像表示装置の弾性部３１の内部構造を示す縦断面図、また図７は該弾性部３１が前方からの衝撃を吸収する動作を示す縦断面図である。図８は本発明の画像表示装置のコイルばね３０の縦断面図、また図９は前方からの衝撃を吸収する動作を示す縦断面図である。図５と同一部品には同一番号を付与して重複する説明は省略する。
【００３９】
表示パネル１に荷重を受けると、固定シャーシ４に比較して質量の小さい表示パネルユニット２０は、後方へ押し出される。可動シャーシ２には弾性部３１を後方へ押す力が働くが、この時容器を構成するゴム製の密閉シート３１−a内部に閉じ込められている空気層３１−bは前後方向への圧縮力３２が働いて前記密閉シート３１−aが薄く変形すると共に、該空気層３１−bは密閉シート３１−aの側面部全周にわたって押し広げる力３３に作用する。一方ガイド５に挿入されたコイルばね３０はシャーシ２から荷重３４を受けて圧縮動作を開始する（４箇所同一）。
【００４０】
以上説明した動作、つまり空気層３１−bが密閉シート３１−aを変形させる動作とコイルばね３０の圧縮動作の二つにより、表示パネル１が受けた荷重のエネルギーが吸収される。尚、弾性部３１は接着部３１−dにより固定シャーシ４に接着支持されている。
【００４１】
更にこの動作においてはガイド５に嵌合する穴を有する可動シャーシ２は、実施例１と同様に表示パネル１の画面中心１８とベゼル１３の前面開口部中心１９との相対位置を変化させずに後方へ移動することができる。この時固定シャーシ４を貫通するケーブル１１とケーブル１２は柔軟性を持って変形して電気的接続を維持する。
【００４２】
この後表示パネル１に掛かる荷重が弱まると、上述した動作がすべて逆転する。すなわち弾性部３１には押し広げる力３３の向きが反転して密閉シート３１−aの側面部が収縮し、空気層３１−bが密閉シート３１−aを圧縮力３２と反対方向に押し出す。と同時に、コイルばね３０は圧縮動作が反転して伸張動作に変わって可動シャーシ２を前方へ戻す力を働かせる。以上の動作によりガイド５に嵌合する穴を有する可動シャーシ２は、表示パネル１の画面中心１８とベゼル１３の前面開口部中心１９との相対位置を変化させずに前方へ移動する。可動シャーシ２はガイド５の先端に位置するストッパー６に当接したところで移動が停止する（通常の使用状態に復帰）。
【００４３】
尚、可動シャーシ２は常に剛体であるガイド５により位置決めされているため長期間に渡り、表示パネル１の画面中心１８とベゼル１３の前面開口部中心１９との相対位置の変化が発生しないことは実施例１と同様である。また本画像表示装置を視聴する際に水平状態から下向きに角度を変化させても、表示パネル１の画面中心１８とベゼル１３の前面開口部中心１９との相対位置の変化が発生しないことも実施例１と同様である。
【００４４】
以上説明したように本発明によれば、以下に述べる効果が得られる。
【００４５】
１．画像を表示する表示パネルを筐体内に有する画像表示装置において、表示パネルに前方から荷重が掛かった場合、表示パネルユニットは後方へ移動しながら荷重のエネルギーを吸収するため、表示パネルの破損の可能性が低減できる。
【００４６】
４．上記エネルギーの吸収はコイルばね及び密閉シートにより閉じ込めた空気層の特性を組み合わせたことにより信頼性の高い構造を実現している。
【００４７】
５．可動シャーシをアルミニウム合金の厚さ２ｍｍ以下の薄板で構成し、更に主要な電気回路を固定シャーシへ分散配置したために表示パネルユニットの軽量化が実現し、荷重を受けた場合に表示パネルの破損の可能性が低減できる。
【００４８】
６．可動シャーシを固定シャーシ側から延びるガイドで位置決めした構造であるため、画面中心とベゼルの前面開口部中心の位置ずれが長期にわたり発生しない。
【００４９】
５．可動シャーシを固定シャーシ側から延びるガイドで位置決めした構造であるため、画像表示装置を下方に傾けて取り付けた場合も画面中心とベゼルの前面開口部中心の位置ずれが発生しない。
【図面の簡単な説明】
【００５０】
【図１】本発明の第１の実施形態の特徴を最もよく表わす画像表示装置の縦断面図。
【図２】本発明の画像表示装置が前方から荷重を受けた場合の動作を示す縦断面図。
【図３】弾性部の内部構造を示す縦断面図。
【図４】弾性部が衝撃を吸収する動作を示す縦断面図。
【図５】本発明の第２の実施形態の特徴を最もよく表わす画像表示装置の縦断面図。
【図６】本発明の画像表示装置の弾性部の内部構造を示す縦断面図。
【図７】弾性部が前方からの衝撃を吸収する動作を示す縦断面図。
【図８】本発明の画像表示装置のコイルばねの縦断面図。
【図９】前方からの衝撃を吸収する動作を示すコイルばねの縦断面図。
【図１０】従来例１の薄型画像表示装置の縦断面図。
【図１１】従来例２の薄型画像表示装置の縦断面図。
【符号の説明】
【００５１】
１  表示パネル
２  可動シャーシ
３  弾性部
３−a  密閉シート
３−b  空気層
３−c  コイルばね
３−d  接着部
４  固定シャーシ
５  ガイド
６  ストッパー
７  ＦＰＣ
８  ドライブ回路
９  制御回路
１０  電源回路
１１  ケーブル
１２  ケーブル
１３  ベゼル
１４  リアカバー
１５  支柱
１６  スタンドベース
１７  壁掛けボス
１８  画面中心
１９  ベゼルの開口部中心
２０  表示パネルユニット
３０  コイルばね
３１  弾性部
３１−a  密閉シート
３１−b  空気層
３１−d  接着部
３２  圧縮力
３３  押し広げる力
３４  荷重
１０１  画像表示パネル
１０２  接着層
１０３  シャーシ
１０４  ＦＰＣ（Flexible Printed Circuit）
１０５  ドライブ回路
１０６  制御回路
１０７  電源回路
１０８  ケーブル
１０９  前面板
１１０  ベゼル
１１１  リアカバー
１１２  スタンド支柱
１１３  スタンドベース
１２０  パネル
１２１  保護フィルタ
１２２  緩衝部
１２３  シャーシ
１２４  駆動制御回路
１２５  モジュール取り付け部
１２６  カバー
【図１】
2009134137.tif 000003
【図２】
2009134137.tif 000004
【図３】
2009134137.tif 000005
【図４】
2009134137.tif 000006
【図５】
2009134137.tif 000007
【図６】
2009134137.tif 000008
【図７】
2009134137.tif 000009
【図８】
2009134137.tif 000010
【図９】
2009134137.tif 000011
【図１０】
2009134137.tif 000012
【図１１】
2009134137.tif 000013